(57)【特許請求の範囲】
【請求項１】
物体の近接を検出できる電子デバイスであって：
プロセッサに結合されたディスプレイスクリーンであり、各々が複数の色成分を有する赤−緑−青（ＲＧＢ）発光ダイオード（ＬＥＤ）パッケージのアレイを含み、各色成分が活性的又は不活性的の何れかである、ディスプレイスクリーンと；
前記ＬＥＤのアレイの複数の色成分の各々に結合され、前記複数の色成分の各々の電圧レベルを決定する入力コントローラーであり、活性的な色成分から出力された光が近接した物体から反射されるときに不活性色成分内の電圧変化を検出するように構成されている、入力コントローラーと；
を含み、ディスプレイスクリーンとしてのＬＥＤアレイの使用に影響を与えることなく、物体のタッチを要せず近接を検出できる電子デバイス。
【請求項２】
前記複数の色成分が、赤色成分、緑色成分及び青色成分を含む、
請求項１記載の電子デバイス。
【請求項３】
さらに、前記ＬＥＤのアレイにより生成される光出力を制御するための出力コントローラーを含む、請求項１記載の電子デバイス。
【請求項４】
前記入力コントローラーが前記複数の色成分の各々の電圧レベルを周期的にサンプリングするように構成されている、請求項１記載の電子デバイス。
【請求項５】
物体の近接を検出できる電子デバイスのためのディスプレイスクリーンであって、各々が複数の色成分を有する赤−緑−青（ＲＧＢ）発光ダイオード（ＬＥＤ）パッケージのアレイを含み、各色成分が活性的又は不活性的の何れかである、ディスプレイスクリーンを提供するステップと；
複数の色成分の各々の電圧レベルを決定するステップと；
活性的な色成分から出力された光が近接した物体から反射されるときに不活性色成分内の電圧変化を検出するステップと；
を含み、ディスプレイスクリーンとしてのＬＥＤアレイの使用に影響を与えることなく、物体のタッチを要せず近接を検出できる方法。
【請求項６】
前記複数の色成分の各々の電圧レベルを周期的にサンプリングするステップを含む、請求項５記載の方法。
【請求項７】
請求項５記載の方法であって、
モバイルコンピューティングデバイス若しくはモバイル通信デバイス、デスクトップコンピューティングデバイス、ラップトップコンピューター、ウルトラブックコンピューター、取り外し可能なコンピューティングデバイス、ハンドヘルドコンピューター、ポータブルデバイス、ウェアラブルコンピューター、タッチスクリーンシステム、タブレットコンピューティングシステム、パーソナルディジタルアシスタント（ＰＤＡ）、セルラー電話、スマートフォン、ウェブアプライアンス及び視覚ディスプレイデバイスを含む電子デバイスからなるグループからの１つのタイプの前記電子デバイス内で実行される方法。
【請求項８】
請求項５に記載された方法を含む命令をマシンに実行させるコンピュータープログラム。
【請求項９】
前記命令がさらに、前記ＬＥＤのアレイにより生成される光出力を制御するステップを含む、請求項８記載のコンピュータープログラム。
【請求項１０】
前記命令がさらに、出力コントローラーが前記複数の色成分の各々の電圧レベルを周期的にサンプリングするステップを含む、請求項８記載のコンピュータープログラム。
【請求項１１】
前記命令がさらに、前記複数の色成分のうちどれが不活性的であるかを決定するステップを含む、請求項８記載のコンピュータープログラム。
【請求項１２】
前記マシンが、モバイルコンピューティングデバイス若しくはモバイル通信デバイス、デスクトップコンピューティングデバイス、ラップトップコンピューター、ウルトラブックコンピューター、取り外し可能なコンピューティングデバイス、ハンドヘルドコンピューター、ポータブルデバイス、ウェアラブルコンピューター、タッチスクリーンシステム、タブレットコンピューティングシステム、パーソナルディジタルアシスタント（ＰＤＡ）、セルラー電話、スマートフォン、ウェブアプライアンス及び視覚ディスプレイデバイスを含む電子デバイスからなるグループからの１つのタイプの前記電子デバイス内に設けられている、
請求項８記載のコンピュータープログラム。
【請求項１３】
請求項８乃至１２のうちいずれか１項記載のコンピュータープログラムを記憶したコンピュータ読取り可能な記憶媒体。
【発明の詳細な説明】
【技術分野】
【０００１】
本発明は、種々の例示的実施形態に従った電子システム、携帯デバイス及び電子デバイスに関し、より詳細には、RGB（赤、緑、青）発光ダイオード（LEDs）を用いる制御機構及び制御方法に関する。
【背景技術】
【０００２】
発光ダイオード（LED）は、典型的に２本リード半導体光源として実現される。ＬＥＤは、活性化されたときに発光する基本的なｐｎ接合ダイオードに似ている。
適切な電圧が両リードに印加されると、デバイス内部で電子が正孔に再結合することが可能となり、フォトンの形態でエネルギーを解放する。この効果は、エレクトロルミネセンスと呼ばれ、フォトンのエネルギーに対応する光の色は、半導体のエネルギーバンドギャップにより決定される。LEDは、しばしば小面積（例えば、１mm2以下）であり、放射パターンを形作るために一体的な光学成分を用いることができる。
【０００３】
異なった色の複数の光を混合（混色）することにより、白色光を形成することができる。最も一般的な方法は、赤、緑及び青（RGB）を用いることであり、そのためその方法は多色白色LEDs（しばしばRGB  LEDsと呼ばれる。）と呼ばれる。RGB  LEDsは通常、赤色LED成分、緑色LED成分及び青色LED成分の３色成分を含んで作られる。この３色成分は、白色光を含む所望の光混合を生成するために、個別的に点灯される。３色成分は、単一のパッケージ内に結合され、結合されたRGB  LEDユニットとして制御される。RGB  LEDsは、３色LED成分を活性化（或いは不活性化）することにより、異なる色の混合及び拡散を制御するために、電子回路を必要としている。個々の色のLED成分は典型的に、方向に依存して色の変化を導くわずかに異なる放出パターンを有する。RGB  LEDsは、異なる色の混色の柔軟性のために、特に多くの応用において興味深い。この機構はまた、赤色、緑色及び青色を混色して白色光を生成することにおいて高い量子効率を有している。
【発明の概要】
【発明が解決しようとする課題】
【０００４】
しかしながら、LEDs  及びRGB  LEDsは、主として、情報・画像ディスプレイ、テレビ、コンピューターモニター、携帯デバイスディスプレイなどの種々の形態における光生成素子として用いられる。同様に、従来のLEDs  及びRGB  LEDsは、主として、出力デバイスとして機能し、入力デバイスや制御デバイスとしては機能しない。
【課題を解決するための手段】
【０００５】
説明を目的とした以下の記述において、種々の実施形態の完全な理解をもたらすために、多数の特定的な詳細を説明する。しかしながら、これらの特定的な詳細なしに、種々の実施形態を実施できることは当業者に明白であろう。
【０００６】
本明細書で記述する種々の例示的実施形態において、RGB（赤、緑、青）発光ダイオード（LEDs）を用いる制御機構及び制御方法が開示される。例示的実施形態において、RGB  LEDsは、制御デバイス、入力デバイス、タッチスクリーンのためのユーザー入力ボタンその他の電子デバイスとして、構成される。LEDs  及びRGB  LEDsを出力電子デバイスとしてのみ用いる従来の技術とは異なり、本開示実施形態は、RGB  LEDsを、出力デバイスとしての標準的な使用に加えて、制御及びユーザー入力機構として用いる。多種多様な応用において、本明細書で記述する種々の実施形態の制御及びユーザー入力機構が、LEDs  及びRGB  LEDsのアレイを用いる多様な電子デバイスにおける入力機構として用いることができる。本明細書で記述する多様な実施形態において、電子デバイスは、モバイル（携帯）コンピューティングデバイス若しくはモバイル通信デバイス、デスクトップコンピューティングデバイス、ラップトップコンピューター、ウルトラブックコンピューター、取り外し可能なコンピューティングデバイス、ハンドヘルドコンピューター、ポータブルデバイス、ウェアラブルコンピューター、タッチスクリーンシステム、タブレットコンピューティングシステム、パーソナルディジタルアシスタント（ＰＤＡ）、セルラー電話、スマートフォン、ウェブアプライアンス及び視覚ディスプレイデバイスの形態を典型的に含む他の電子デバイスを含んで良い。本明細書で記述する多様な実施形態がRGB  LEDsを入力機構及び出力機構として使用可能であるとすると、本開示技術を組み込んだ電子デバイスは、より少ない部品かつより低廉なコストで機能を増大させて製造することができる。
【０００７】
本明細書で記述する多様な例示的実施形態において、１個又は複数個の色LED成分を点灯し、他の非点灯LED成分に生じる電圧又は電圧変化を測定することにより、RGB  LEDを制御及びユーザー入力機構として用いることができる。もし、点灯された色LED成分から発光された光が、非点灯LED成分へと反射されると、その非点灯LED成分の電圧が、反射光を受光しないときの電圧に比較して変化する。こうして、非点灯LED成分における電圧変化を利用して、反射光の存在又は不存在を検出することができる。RGB  LEDの非点灯LED成分についてのこの効果を利用して、RGB  LEDに近接した物体の存在を検出することができる。RGB  LEDの点灯LED成分からの光がその物体により反射され、非点灯LED成分へと反射されるからである。例えば、もしユーザーの指が少なくとも１個の点灯した色LED成分RGB  LEDに近接して位置されると、その指からの反射光が非点灯LED成分の電圧を変化させる。この電圧変化を利用して、「ボタン押圧」（例えば、制御又はユーザー入力起動）及び／又はユーザーの指の位置を検出することができる。重要なことは、本明細書で記述する種々の実施形態において、近接物体の検出は、物体がRGB  LED又は関連するディスプレイスクリーンに物理的に接触することを要しないことである。さらに、種々の実施形態は、電気的容量又は抵抗に依存せず、特別な「スタイラス」や特別に埋め込まれたハードウェアも必要がない。追加的に、本明細書で記述する種々の実施形態が近接物体から反射される光を利用するので、ユーザーが手袋をはめていても、或いはユーザー入力作用を引き起こすために指以外の物体を用いても、ボタン起動並びに／又はユーザーの指の存在及び位置を検出することができる。RGB  LEDsは、概して、パルス幅変調（PWM）とともに用いられて、３個の色LED成分を高速で活性化したり不活性化したりすることにより種々の色を生成し、所望の色成分を生成することができる。３個の色LED成分のこの高速スイッチングの間、用いられない（非点灯）LED色成分は、受光した光により生成される電圧変化を測定することにより、制御入力として用いることができる。この電圧測定は、ユーザーの指（又は他の近接物体）が光源の近くにあれば、変化する。結果として、この電圧変化を用いて、制御又はユーザー入力を記録することができる。種々の実施形態の詳細は以下に述べる。
【図面の簡単な説明】
【０００８】
種々の実施形態が、例示の方法により、非制限的な例としてではなく、添付図面に示されている。
【図１】従来のRGB  LEDの構造を示す。
【図２】RGB  LEDを用いた制御機構の例示的実施形態を示す。
【図３】RGB  LEDの点灯された色成分に近接する物体の光反射効果を示している。
【図４】RGB  LEDの点灯された色成分に近接する物体の光反射効果を示している。
【図５】本明細書で記述した方法の例示的実施形態を示した処理フローチャートである。
【図６】携帯コンピューターシステム及び／又は通信システムの例示的形態でマシンを表現したダイアグラムである。これらシステムの中で、実行される命令セット及び／又は活性化される処理論理によって、マシンが本明細書で記述し権利請求した１つ以上の方法論を実行する。
【発明を実施するための形態】
【０００９】
ここで図１を参照すると、従来のRGB  LED１００の構造が示されている。RGB  LEDsは、通常、３個の色成分、赤色LED成分１０２、緑色LED成分１０４及び青色LED成分１０６を含んで作られる。３個の色成分１０２，１０４及び１０６が個別的に点灯されて、白色光を含む所望の色混合を生成する。３個の色成分が単一のパッケージ１００へと結合され、パッケージ１００の光出力が、制御モジュール１０８により、結合されたRGB  LEDユニットとして制御され得る。RGB  LEDsは、３色LED成分を活性化（或いは不活性化）することにより、異なる色の混合及び拡散を制御するために、電子回路を必要としている。この目的のために、制御モジュール１０８が設けられる。RGB  LEDsは、概して、種々の色を生成するためのパルス幅変調（PWM）とともに用いられ、３個の色LED成分を高速で活性化したり不活性化したりすることにより、所望の色出力結合を生成する。RGB  LED１００と同様に、周知の技法を用いてRGB  LEDsのアレイを組み立てることもでき、コンピューティングデバイス、通信デバイス又はエンタテインメントデバイスその他の電子デバイスを製造できる。
【００１０】
図２を参照すると、図２のダイアグラムは、RGB  LEDsを用いた制御機構の例示的実施形態を示している。図１に示し上述したような同様な配置において、図２に示す例示的実施形態は、３個の色成分、赤色LED成分２０２、緑色LED成分２０４及び青色LED成分２０６を含むRGB  LED２００を含む。３個の色成分２０２，２０４及び２０６が単一のパッケージ２００へと結合され、パッケージ２００の光出力が、上述したような出力コントローラー２２０により、結合されたRGB  LEDユニットとして制御され得る。
【００１１】
図２に示す実施形態は、入力コントローラー２１０をも含む。入力コントローラー２１０は、図２に示すように、RGB  LED２００の３個の色成分２０２，２０４及び２０６の各々の電気的リードに結合されている。この構成において、入力コントローラー２１０は、色成分２０２，２０４及び２０６の３本の電気的リードの各々上に存在する電圧をサンプリングすることができる。結果として、入力コントローラー２１０は、色成分２０２，２０４及び２０６のうちどれが点灯して（活性化され）いて、どれが非点灯（不活性化）であるかを、如何なる時点においても決定することができる。追加的に、入力コントローラー２１０は、時間に亘って不活性色成分２０２，２０４及び２０６のいずれかにおいて生じ得る電圧レベルの如何なる変化をも検出することができる。反射光の変動を起こし得るRGB  LED２００に近接した物体がもし存在しないならば、特定の不活性色成分（例えば、２０２，２０４又は２０６）に存在する電圧レベルは、同一の不活性色成分について以前の時点でサンプリングされた電圧レベルと実質的に同じであろう。こうして、RGB  LED２００に近接した物体が無い場合に、不活性色成分２０２，２０４及び２０６上の電圧レベルは、時間に亘って実質的に一定に保持されるであろう。３つの電圧レベルは、入力コントローラー２１０によって、周期的にサンプリングされ、保存される。不活性色成分２０２，２０４及び２０６上の電圧レベルが実質的に一定に保持される限り、入力コントローラー２１０は、RGB  LED２００においてユーザーの入力又はボタン起動を受信していないと結論（関係する信号を抑制）できる。入力コントローラー２１０は、標準的なディスクリート論理成分、半導体論理特定用途向け集積回路（ASIC）、フィールドプログラマブルゲートアレイ（FPGA）成分、又は種々の従来の電子成分及び技法を用いて、実現することができる。
【００１２】
図２を再び参照すると、そのダイアグラムが、ユーザーが指（又は他の物体）２３０をRGB  LED２００の近傍へと移動している様子を示している。指又は物体２３０をRGB  LED２００の近傍へと移動させることにより、RGB  LED２００のうち点灯した色成分からの反射光の変動が非点灯（不活性）色成分により受信される。結果として、不活性色成分（例えば、２０２，２０４又は２０６）に存在する電圧レベルが変化する。この電圧変化を、入力コントローラー２１０によって検出することができる。図３及び図４は、より詳細に後述するような電圧変化の効果を示す。
【００１３】
図３を参照すると、そのダイアグラムが、RGB  LEDのうち点灯した色成分に近接した物体の光反射効果を示している。図示のように、ユーザーがRGB  LED２００の近傍へと指（又は物体）２３０を移動させた。図３のこの例において、説明の目的のために、赤色成分２０２が点灯（活性化）され、結果としての光線２４０がRGB  LED２００から発しており、近傍の物体２３０へ向けて上昇していると仮定する。図３の例において、説明の目的のために、緑色成分２０４及び青色成分２０６が点灯されていない（不活性である）と仮定する。色成分（例えば、２０２から，２０４又は２０６）の何れか、又は何れかの組合せを点灯（活性化）することができ、少なくとも１個の色成分を点灯しない（不活性化する）ようにすることができることは、本明細書の開示から当業者には明白である。点灯（活性化）された色成分から発光され、RGB  LED２００から発せられた光線２４０は、物体２３０に向けて上方へ放射される。光線の一部が、反射光線２５０として反射されて戻る。これらの反射光線２５０が、不活性色成分２０４及び２０６へ向けて放射され、不活性色成分２０４及び２０６の周囲の光レベルを変更する機能を持つ。結果として、不活性色成分２０４及び２０６の各々の電圧が、以前の時点における不活性色成分についてサンプリングされた電圧に対して変化する。この電圧レベル変化を、入力コントローラー２１０により検出することができる。入力コントローラー２１０により検出された電圧レベル変化は、制御入力、ユーザーの入力又はボタン起動事象に関連し得る。このようにして、入力コントローラー２１０は、RGB  LEDの不活性色成分の電圧レベルをモニターして、制御入力、ユーザーの入力起動、ボタン起動その他の入力事象を検出することができる。入力事象は、入力事象検出信号を介して、電子デバイスの他の成分への信号送信可能である。これらの入力事象の検出は、出力デバイスとしてのRGB  LEDsの使用に影響を与えない。
【００１４】
図４を参照すると、そのダイアグラムが、RGB  LEDの点灯（活性化）色成分に近接した物体の光反射効果の他の例を示している。図３に示し上述したのと同様にして、ユーザーがRGB  LED２００の近傍へと指（又は物体）２３０を移動させた。図４のこの例において、説明の目的のために、赤色成分２０２が点灯（活性化）され、結果としての光線２４０がRGB  LED２００から発しており、近傍の物体２３０へ向けて上昇していると再び仮定する。図４の例において、説明の目的のために、RGB  LED２００の緑色成分２０４及び青色成分２０６が点灯されておらず（不活性である）、隣接するRGB  LED２０１の３個の全ての色成分２０３，２０５及び２０７も点灯されていない（不活性である）と仮定する。色成分（例えば、２０２乃至２０７）の何れか、又は何れかの組合せを点灯（活性化）することができ、少なくとも１個の色成分を点灯しない（不活性化する）ようにすることができることは、本明細書の開示から当業者には明白である。点灯（活性化）された色成分から発光され、RGB  LED２００から発せられた光線２４０は、近接物体２３０に向けて上方へ放射される。光線の一部が、反射光線２５０及び２６０として反射されて戻る。反射光線２５０が、RGB  LED２００の不活性色成分２０４及び２０６へ向けて放射され、不活性色成分２０４及び２０６の周囲の光レベルを変更する機能を持つ。反射光線２６０が、隣接するRGB  LED２０１の不活性色成分２０３、２０５及び２０７へ向けて放射され、不活性色成分２０３，２０５及び２０７の周囲の光レベルを変更する機能を持つ。結果として、不活性色成分２０３乃至２０７の各々の電圧が、以前の時点における同じ不活性色成分についてサンプリングされた電圧に対して、変化する。この電圧レベル変化を、入力コントローラー２１０により検出することができる。入力コントローラー２１０により検出された電圧レベル変化は、制御入力、ユーザーの入力又はボタン起動事象に関連し得る。このようにして、入力コントローラー２１０は、主要RGB  LEDの不活性色成分及び隣接RGB  LEDsの不活性色成分を含むRGB  LEDアレイ内の複数のRGB  LEDsの不活性色成分の電圧レベルをモニターして、制御入力、ユーザーの入力起動、ボタン起動その他の入力事象を検出することができる。追加的に、入力コントローラー２１０は、RGB  LEDsアレイ内のどのRGB  LED(s)が入力事象を検出したのかを決定することができるので、入力コントローラー２１０は、入力事象が検出されたRGB  LEDアレイ内の物理的位置を決定することもできる。結果として、本例示的実施形態の入力コントローラーは、入力事象及び入力事象の位置を決定することができる。さらに、本明細書で記述した種々の実施形態における入力事象（例えば、近接物体の存在）の決定は、物体がRGB  LED又は関連するディスプレイスクリーンを物理的にタッチすることを要求しない。上述の光反射効果が入力コントローラー２１０により検出できるように、物体がRGB  LEDに十分に近接することのみが必要とされる。
【００１５】
ここで図５を参照すると、処理フローダイアグラムが、本明細書で説明する制御方法１１００の例示的実施形態を示している。例示的実施形態に従った方法１１００は、以下のステップを含んでいる。各色成分が活性化又は不活性化のどちらかである複数の色成分を有する赤色、緑色、青色（RGB）発光ダイオード（LED）を提供するステップ（処理ブロック１１１０）；複数の色成分の各々の電圧レベルを決定するステップ（処理ブロック１１２０）；及び活性化色成分からの光が近接した物体から反射されるときに不活性色成分の電圧変化を検出するステップ（処理ブロック１１３０）。
【００１６】
図６は、携帯コンピューティングシステム及び／又は通信システム７００の例示的形態であるマシンの概略的表現を示している。システム７００の内部で、実行される一組の命令及び起動される処理ロジックによって、マシンが本明細書で説明され特許請求の範囲で請求された１つ又はそれ以上の方法が実行される。追加的に、本明細書で説明したRGB  LEDを用いた制御機構及び方法が、携帯コンピューティングシステム及び／又は通信システム７００のディスプレイデバイス内で用いられる。変形実施形態において、マシンはスタンドアロンデバイスとして動作し、或いは他のマシンと接続（例えば、ネットワーク化）されても良い。ネットワーク化された配置においては、マシンは、サーバークライアントネットワーク環境内のサーバーとして又はクライアントマシンとして動作しても良く、或いはピアツーピア（又は分散された）ネットワーク環境内のピアマシンとして動作しても良い。マシンは、パーソナルコンピュータ（PC）、ラップトップコンピューター、タブレットコンピューティングシステム、パーソナルディジタルアシスタント（ＰＤＡ）、セルラー電話、スマートフォン、ウェブアプライアンス、セットトップボックス（STB）、ネットワークルーター、ネットワークスイッチ若しくはネットワークブリッジ、又は一組の命令セット（順序的その他）を実行可能である或いは当該マシンにより取られる動作を特定する処理論理を起動可能である如何なるマシンであっても良い。さらに、単一のマシンが図示されているが、用語「マシン」は、本明細書で説明し特許請求の範囲で請求するあらゆる１つ又はそれ以上の方法を実施するための１組の命令セット（又は複数セット）又は処理論理を個別的に或いは協働で実行するあらゆるマシンの集合をも含むものと解することができる。
【００１７】
例示的な携帯コンピューティングシステム及び／又は通信システム７００は、データプロセッサ７０２（例えば、システムオンチップ（SoC）、ジェネラル処理コア、グラフィックスコア及び選択的に他の処理論理）及びメモリ７０４を含む。データプロセッサ７０２及びメモリ７０４は、バスその他のデータ転送システム（バス）７０６を介して、互いに通信可能である。
携帯コンピューティングシステム及び／又は通信システム７００はさらに、ディスプレイデバイス７０９、並びにオーディオデバイスなどの種々の入力／出力（I/O）デバイス及び／又はインターフェイス７１０を含んでも良く、選択的にネットワークインターフェイス７１２を含んでも良い。本明細書で開示したRGB  LEDsを用いた制御機構及び方法は、ディスプレイデバイス７０９内で又はそれとともに用いることができる。例示的実施形態において、ネットワークインターフェイス７１２は、１つ又はそれ以上の標準的ワイヤレスプロトコル及び／又はセルラープロトコル又は以下のようなアクセス技術と互換であるように構成された１つ又はそれ以上の無線送受信機を含んで良い。上記アクセス技術には、例えば、セルラーシステムの第２世代(2G)、  第２．５世代、第３世代(3G)、第４世代(4G)、及び未来世代の無線アクセス、ＧＳＭ（Global  System  for  Mobile  communication）、ＧＰＲＳ（General  Packet  Radio  Services）、ＥＤＧＥ（Enhanced  Data  GSM  Environment）、ＷＣＤＭＡ（Wideband  Code  Division  Multiple  Access）、LTE、CDMA2000、WLAN、ＷＲ（Wireless  Router）メッシュその他が含まれる。ネットワークインターフェイス７１２は、TCP/IP,  UDP,  SIP,  SMS,  RTP,  WAP,  CDMA,  TDMA,  UMTS,  UWB,  WiFi,  WiMax,  Bluetooth（登録商標）,  IEEE  802.  Llxその他を含む他の種々の無線及び／又はワイヤレス通信プロトコルとともに使用するように構成されても良い。基本的には、ネットワークインターフェイス７１２は、如何なる有線及び／又は無線通信機構を含んでも良く、或いはそれを仮想的に支持しても良い。これらの有線及び／又は無線通信機構によって、携帯コンピューティングシステム及び／又は通信システム７００と他のコンピューティングシステム又は通信システムとの間で、ネットワーク７１４を介して情報を伝搬することができる。
【００１８】
メモリ７０４は、マシン読み取り可能な媒体を表現しており、そこには、本明細書で記述し特許請求の範囲で請求した１つ又はそれ以上の方法又は機能を実現する１組又は複数組の命令セット、ソフトウェア、ファームウェアその他の処理論理（例えば、論理７０８）が記憶される。論理７０８又はその一部は、携帯コンピューティングシステム及び／又は通信システム７００により実行される間には、完全に又は少なくとも部分的にプロセッサ７０２内部に存在することができる。かくして、メモリ７０４及びプロセッサ７０２もまた、マシン読み取り可能な媒体を構成しても良い。論理７０８又はその一部は、少なくとも一部がハードウェア内で部分的に実現される処理論理又は論理として構成されても良い。論理７０８又はその一部はさらに、ネットワークインターフェイス７１２を介して、ネットワーク７１４を通じて送信したり受信したりすることができる。例示的実施形態のマシン読み取り可能な媒体は単一の媒体であって良いが、用語「マシン読み取り可能な媒体」は、一組又は複数組の命令セットを記憶する単一の非一時的媒体又は複数の非一時的媒体（例えば、集中型又は分散型のデータベース及び／又は関連するキャッシュ及びコンピューティングシステム）を含むものとして解すべきである。用語「マシン読み取り可能な媒体」はまた、マシンによる実行のための命令セットを記憶し、符号化し或いは処理することが可能な如何なる非一時的媒体、マシンに１つ又は複数の種々の実施形態の方法を実行させることが可能な如何なる非一時的媒体、命令セットにより利用され、或いは命令セットに関連したデータ構造を記憶し、符号化し或いは処理することが可能な如何なる非一時的媒体をも含むものと解すべきである。したがって、用語「マシン読み取り可能な媒体」は、半導体メモリ、光学媒体及び磁気媒体を非限定的に含むものとして解し得る。
【００１９】
本明細書で記述した種々の実施形態において、例示的実施形態は少なくとも以下の実施例を含む。
【００２０】
電子デバイスのための制御機構であって：複数の色成分を有する赤−緑−青（ＲＧＢ）発光ダイオード（ＬＥＤ）であり、各色成分が活性的又は不活性的の何れかである、ＲＧＢ  ＬＥＤと；複数の色成分の各々に結合されてその電圧レベルを決定する入力コントローラーであり、活性的な色成分からの光が近接した物体から反射されるときに不活性色成分内の電圧変化を検出するように構成されている、入力コントローラーと；を含む制御機構。
【００２１】
上述の制御機構であり、前記複数の色成分が、赤色成分、緑色成分及び青色成分を含む、制御機構。
【００２２】
上述の制御機構であり、さらに、前記ＲＧＢ  ＬＥＤにより生成される光出力を制御するための出力コントローラーを含む制御機構。
【００２３】
上述の制御機構であり、前記入力コントローラーが前記複数の色成分の各々の電圧レベルを周期的にサンプリングするように構成されている、制御機構。
【００２４】
上述の制御機構であり、前記入力コントローラーが、前記複数の色成分のうちどれが不活性的であるかを決定するように構成されている、制御機構。
【００２５】
上述の制御機構であり、前記入力コントローラーが、入力事象検出信号を介して、電子デバイスの他の成分に入力事象検出を送信するように構成されている、制御機構。
【００２６】
電子デバイスであって、プロセッサに結合されたディスプレイスクリーンであり、各々が複数の色成分を有する赤−緑−青（ＲＧＢ）発光ダイオード（ＬＥＤ）のアレイを含み、各色成分が活性的又は不活性的の何れかである、ディスプレイスクリーンと；前記ＲＧＢ  ＬＥＤアレイの複数の色成分の各々に結合され、前記複数の色成分の各々の電圧レベルを決定する入力コントローラーであり、活性的な色成分からの光が近接した物体から反射されるときに不活性色成分内の電圧変化を検出するように構成されている、入力コントローラーと；を含む電子デバイス。
【００２７】
上述の電子デバイスであり、前記複数の色成分が、赤色成分、緑色成分及び青色成分を含む、電子デバイス。
【００２８】
上述の電子デバイスであり、さらに、前記ＲＧＢ  ＬＥＤのアレイにより生成される光出力を制御するための出力コントローラーを含む、電子デバイス。
【００２９】
上述の電子デバイスであり、前記入力コントローラーが前記複数の色成分の各々の電圧レベルを周期的にサンプリングするように構成されている、制御機構。
【００３０】
上述の電子デバイスであり、前記入力コントローリング手段が前記複数の色成分のうちどれが不活性的であるかを決定するように構成されている、電子デバイス。
【００３１】
上述の電子デバイスであり、前記入力コントローラーが、入力事象検出信号を介して、電子デバイスの他の成分に入力事象検出を送信するように構成されている、電子デバイス。
【００３２】
上述の電子デバイスであり、モバイルコンピューティングデバイス若しくはモバイル通信デバイス、デスクトップコンピューティングデバイス、ラップトップコンピューター、ウルトラブックコンピューター、取り外し可能なコンピューティングデバイス、ハンドヘルドコンピューター、ポータブルデバイス、ウェアラブルコンピューター、タッチスクリーンシステム、タブレットコンピューティングシステム、パーソナルディジタルアシスタント（ＰＤＡ）、セルラー電話、スマートフォン、ウェブアプライアンス及び視覚ディスプレイデバイスを含む電子デバイスからなるグループからの１つのタイプである、電子デバイス。
【００３３】
複数の色成分を有する赤−緑−青（ＲＧＢ）発光ダイオード（ＬＥＤ）であり、各色成分が活性的又は不活性的の何れかである、ＲＧＢ  ＬＥＤを提供するステップと；複数の色成分の各々の電圧レベルを決定するステップと；活性的な色成分からの光が近接した物体から反射されるときに不活性色成分内の電圧変化を検出するステップと；を含む方法。
【００３４】
上述の方法であって、前記複数の色成分が、赤色成分、緑色成分及び青色成分を含む、方法。
【００３５】
上述の方法であって、さらに、RGB  LEDにより生成された光出力を制御するステップとを含む方法。
【００３６】
上述の方法であって、前記複数の色成分の各々の電圧レベルを周期的にサンプリングするステップを含む、方法。
【００３７】
上述の方法であって、前記複数の色成分のうちどれが不活性的であるかを決定するステップと、を含む方法。
【００３８】
上述の方法であって、入力事象検出信号を介して、電子デバイスの他の成分に入力事象検出を送信するように構成されている、方法。
【００３９】
上述の方法であって、電子デバイスが、モバイルコンピューティングデバイス若しくはモバイル通信デバイス、デスクトップコンピューティングデバイス、ラップトップコンピューター、ウルトラブックコンピューター、取り外し可能なコンピューティングデバイス、ハンドヘルドコンピューター、ポータブルデバイス、ウェアラブルコンピューター、タッチスクリーンシステム、タブレットコンピューティングシステム、パーソナルディジタルアシスタント（ＰＤＡ）、セルラー電話、スマートフォン、ウェブアプライアンス及び視覚ディスプレイデバイスを含む電子デバイスからなるグループからの１つのタイプである、方法。
【００４０】
装置であって：複数の色成分を有する発光ダイオード手段（ＬＥＤ）であり、各色成分が活性的又は不活性的の何れかである、ＬＥＤと；前記複数の色成分の各々に結合されてその電圧レベルを決定する入力コントローリング手段であり、活性的な色成分からの光が近接した物体から反射されるときに不活性色成分内の電圧変化を検出するように構成されている、入力コントローリング手段と；を含む装置。
【００４１】
上述の装置であって、前記複数の色成分が、赤色成分、緑色成分及び青色成分を含む、装置。
【００４２】
上述の装置であって、さらに、前記ＬＥＤにより生成される光出力を制御するための出力コントローリング手段を含む装置。
【００４３】
上述の装置であって、前記入力コントローリング手段が、前記複数の色成分の各々の電圧レベルを周期的にサンプリングするように構成されている、装置。
【００４４】
上述の装置であって、前記入力コントローリング手段が前記複数の色成分のうちどれが不活性的であるかを決定するように構成されている、装置。
【００４５】
上述の装置であって、前記入力コントローリング手段が、入力事象検出信号を介して、電子デバイスの他の成分に入力事象検出を送信するように構成されている、装置。
【００４６】
コンピュータープログラムであって：複数の色成分を有する赤−緑−青（ＲＧＢ）発光ダイオード（ＬＥＤ）であり、各色成分が活性的又は不活性的の何れかである、ＲＧＢ  ＬＥＤを提供するステップと；前記複数の色成分の各々の電圧レベルを決定するステップと；
活性的な色成分からの光が近接した物体から反射されるときに不活性色成分内の電圧変化を検出するステップと；を含む命令をマシンに実行させるコンピュータープログラム。
【００４７】
上述のコンピュータープログラムであって：前記複数の色成分が、赤色成分、緑色成分及び青色成分を含む、コンピュータープログラム。
【００４８】
上述のコンピュータープログラムであって：さらに、前記ＲＧＢＬＥＤにより生成される光出力を制御するように構成されている、コンピュータープログラム。
【００４９】
上述のコンピュータープログラムであって：さらに、前記複数の色成分の各々の電圧レベルを周期的にサンプリングするステップを含むコンピュータープログラム。
【００５０】
上述のコンピュータープログラムであって：さらに、前記複数の色成分のうちどれが不活性的であるかを決定するステップを含むコンピュータープログラム。
【００５１】
上述のコンピュータープログラムであって：入力事象検出信号を介して、電子デバイスの他の成分に入力事象検出を送信するように構成されている、コンピュータープログラム。
【００５２】
上述のコンピュータープログラムであって：電子デバイスが、モバイルコンピューティングデバイス若しくはモバイル通信デバイス、デスクトップコンピューティングデバイス、ラップトップコンピューター、ウルトラブックコンピューター、取り外し可能なコンピューティングデバイス、ハンドヘルドコンピューター、ポータブルデバイス、ウェアラブルコンピューター、タッチスクリーンシステム、タブレットコンピューティングシステム、パーソナルディジタルアシスタント（ＰＤＡ）、セルラー電話、スマートフォン、ウェブアプライアンス及び視覚ディスプレイデバイスを含む電子デバイスからなるグループからの１つのタイプである、コンピュータープログラム。
【００５３】
上述のコンピュータープログラムを記憶したマシン読み取り可能な記憶媒体。
【００５４】
読者が技術的開示の性質を迅速に確認することを可能にする要約を要求する米国特許法37  C.F.R.  §  1.72(b)に適合して、本開示の要約書が提供されている。要約書は、請求項の範囲又は意味を解釈したり限定したりするために用いないという理解とともに提供されている。さらに、明細書において、本開示の合理化の目的のために、種々の特徴が単一の実施形態にまとめられていることが理解できる。開示のこの方法は、請求項に係る発明が各請求項に明示的に言及された特徴以外の特徴を要求するという意図を表しているものとして解釈されてはならない。むしろ、以下の請求項群が表しているように、発明の主題は、開示された単一の実施形態の全ての特徴よりも少ない点にある。以下の請求項群は明細書中に組み込まれ、各請求項は別個の発明として明白である。
【図１】
0006426278.tif 000002
【図２】
0006426278.tif 000003
【図３】
0006426278.tif 000004
【図４】
0006426278.tif 000005
【図５】
0006426278.tif 000006
【図６】
0006426278.tif 000007